(57)【要約】【課題】携帯電話使用者に対し、今いる場所での通話が心臓ペースメーカ使用者にとって危険を及ぼすことを報知し、携帯電話の使用の禁止を伝える。【解決手段】発光表示板１は、携帯電話１０が発した電磁波を受信する受信手段３，４に、  受信手段３，４が受信した電磁波を電力に変換する電力変換手段５，６を接続し、  さらに、この電力変換手段５，６に有機エレクトロルミネッセンス素子７を接続する。  当該有機エレクトロルミネッセンス素子７は、発光して携帯電話１０で通話している者へ注意を促す文字等を表示する。  さらに、発光表示板１に首提げ用の紐１１を付けると共に、裏面に電磁波遮蔽板１４を固着するとよい。【選択図】図１
2007249162.tif 000002
【特許請求の範囲】
【請求項１】
携帯電話が発した電磁波を受信する受信手段に、
受信手段が受信した電磁波を電力に変換する電力変換手段を接続し、
さらに、この電力変換手段に有機エレクトロルミネッセンス素子を接続することを特徴とする発光表示板。
【請求項２】
前記発光表示板は、身体装着手段を付けると共に、裏面に電磁波遮蔽板を固着することを特徴とする請求項１に記載の発光表示板。
【発明の詳細な説明】
【技術分野】
【０００１】
本発明は、携帯電話の電磁波を受信して発光し、携帯電話の使用の禁止を伝える発光表示板に関する。
【背景技術】
【０００２】
現在我が国では７割を超える人が携帯電話を所有しているといわれるが、その一方で他人の迷惑を気にしない使用が多くなっている。特に電車など使用禁止の場所にもかかわらず携帯電話で通話している例が多々ある。
このようなマナー違反の防止策として、携帯電話の使用を制限するための車内放送を流したり、各種ポスターで注意を促してはいるが、未だ徹底しないのが現状である。
携帯電話のマナー違反は心臓のペースメーカを利用している人にとっては単なるマナー違反を越えて健康上に関わる切実な問題であり、携帯電話の使用を制限する対策が切望されている。
【発明の開示】
【発明が解決しようとする課題】
【０００３】
そこで本発明は、携帯電話使用者に対し、今いる場所での通話が心臓ペースメーカ使用者にとって危険を及ぼすことを報知し、携帯電話の使用の禁止を伝えることを目的とする。
【課題を解決するための手段】
【０００４】
上記課題を解決するために請求項１の発明は、携帯電話が発した電磁波を受信する受信手段に、
受信手段が受信した電磁波を電力に変換する電力変換手段を接続し、
さらに、この電力変換手段に有機エレクトロルミネッセンス素子を接続することを特徴とする。
請求項２の発明は、請求項１の発光表示板に首提げ用の紐などの身体装着手段を付けると共に、裏面に電磁波遮蔽板を固着することを特徴とする。
【発明の効果】
【０００５】
請求項１の発明では、有機エレクトロルミネッセンス素子が発光することにより、携帯電話使用者に対し、今いる場所での通話が心臓ペースメーカ使用者にとって危険を及ぼすことを報知し、携帯電話の使用を制限できる。また、心臓ペースメーカ使用者に対し発光して危険を報知できる。さらに、電源を備えず軽量であるので、あらゆる場所に取り付け可能である。
請求項２の発明では、着用が容易であり、発光することで、これを着用するペースメーカ使用者に危険を報知できる。報知を受けたペースメーカ使用者は、適宜場所を移動して、ペースメーカの誤動作の危険を回避できるという利点がある。さらに、発光表示板が発光した場合であっても、電磁波遮蔽板が電磁波を遮蔽し心臓ペースメーカの誤動作を防止できる。
【発明を実施するための最良の形態】
【０００６】
以下、図面を参照して本発明の詳細について述べる図１は本発明発光表示板の概略図、図２は本発明の構成を示す回路図である。
【０００７】
１はシート状の発光表示板であり、表面に発光体２を備え、その他以下の構成を備える。
受信回路（受信手段）に、検波回路（電力変換手段）を接続する。
受信回路（受信手段）は受信アンテナコイル３にコンデンサ４を接続したものであり、検波回路（電力変換手段）は検波ダイオード５にコンデンサ６を接続したものである。さらに、この検波回路に発光体２を接続する。
以上の構成で、受信アンテナコイル３を発光表示板１の表面に配置し、コンデンサ４，６、検波ダイオード５は発光表示板１の裏面又は内部に配置する。
発光体２は、有機エレクトロルミネッセンス素子７の表面に金属薄膜電極８を形成し、裏面に導電性ガラス電極９をパターン形成したものである。
エレクトロルミネッセンス素子は、薄型軽量であり発光表示板に使用すれば、発光表示板の取決場所を選ばず最適である。また、電力の供給源が携帯電話からの電磁波であり、得られる電力が低電力であるので、無機エレクトロルミネッセンス素子よりも低電力で発光する有機エレクトロルミネッセンス素子７を使用する。発光材料は特に限定しないが、アミノキノール錯体などの金属錯体、ポリフェニレンビニレン誘導体、ポリフルオレン誘導体が低電力で発光するという点から最適である。
なお、１０は携帯電話であり、発光体６の電力供給源である。
【０００８】
以上の発光表示板１は、使用の形態は特に限定しないが、図３に示すようにペンダント状に形成したり、図４に示すようにポスター状に形成したりするとよい。
【０００９】
ペンダント状の場合は、発光表示板１はペースメーカの外形よりやや大きくすると共に、首提げ用の紐１１（身体装着手段）を付ける。ペースメーカ使用者１２は、これを首から提げ使用する。
携帯電話１０からの電磁波を、受信アンテナコイル３が受信すると、例えば「私は、心臓ペースメーカを使用しています」などの文字が発光し、携帯電話の使用者１３に注意を促す。
警報音の場合は、電車内などの騒音下で聞き取れるようにすると、大音響となりかえって他人の迷惑になるが、発光による警報は、このような迷惑を生じることがなくまた確実に報知できる。
さらに、発光表示板１の裏面に、電磁波遮蔽板１４を固着する。ペースメーカ使用者は、心臓ペースメーカ１７を装着した部分を被覆するように発光表示板１を着用すれば、発光表示板１が発光した場合であっても、心臓ペースメーカの誤動作を防止できる。
【００１０】
さらに、前記ペンダント状のものは、発光することにより、これを着用するペースメーカ使用者に危険を報知する。携帯電話から２２ｃｍ以上離れれば、心臓ペースメーカの誤動作を防げるというデータがあり、ペースメーカ使用者は直ちに場所を移動することにより、ペースメーカの誤動作を防止できるという利点がある。
なお、上記ペンダント状は一例であり、本発明は、ピンバッチ状、シール状など、身体装着手段を備える公知の各種形態を含む。
【００１１】
ポスター状の場合は、病院内、電車内など、特に携帯電話の使用を制限する必要とするところに掲示する。掲示しやすいよう裏面に接着剤１５を塗布し、さらにその上を剥離紙１６で被覆してもよい。
携帯電話１０からの電磁波を、受信アンテナコイル３が受信すると、例えば「この場所では、通話できません。携帯電話の電源をお切り下さい。」などの文字が発光し携帯電話の使用者に注意を促す。
【００１２】
電車内の場合は、図５に示すように、ドア１８の上などに発光表示板１を掲示する。
また、図６のように発光表示板１を吊革１９に取付けてもよい。この場合には、発光体２が小さいので、文字を表示するのでなく、光を点滅させる。
【００１３】
前記実施形態では、発光表示板１をシート状にしているが、本発明はこれに限定されるものではなく、厚みを持たせ板状にするなどしてもよい。ただし掲示のし易さ、持参し易さなどの点からはシート状がよい。
【図面の簡単な説明】
【００１４】
【図１】発光表示板の概略図である。
【図２】本発明の構成を示す回路図である。
【図３】ペンダント状の発光表示板の使用状態を示す図である。
【図４】ポスター状の発光表示板の概略図である。
【図５】電車内に発光掲示板を掲示する場合の一例を示す概略図である。
【図６】吊革に発光掲示板を掲示する場合の概略図である。
【符号の説明】
【００１５】
１      発光表示板
２      発光体
３      受信手段
４，６      コンデンサ
５      検波ダイオード
１０      携帯電話
１４      電磁波遮蔽板
【図１】
2007249162.tif 000003
【図２】
2007249162.tif 000004
【図３】
2007249162.tif 000005
【図４】
2007249162.tif 000006
【図５】
2007249162.tif 000007
【図６】
2007249162.tif 000008